(57)【要約】      （修正有）【課題】スケール付着による作動不良を起こさない排水栓とする。【解決手段】上流側の入口２と下流側の出口３と排水口７とを選択的に接続して、下流側の水回り機器に通水する通水モードと、下流側の水回り機器内の水を排水する排水モードと、下流側の水回り機器を上流側の水回り機器と排水管とから切り離して下流側の水回り機器の保守を可能にする保守モードとを実現可能な排水栓１であって、入口と出口とを接続する屈曲した第１通水路４と、第１通水路の屈曲部に連通する第１直進通路５と、弁体６ａを形成する一端部が第１直進通路に挿通され直進往復動して第１通水路の屈曲部を開閉する第１弁６と、第１通水路の屈曲部に一端が連通し他端が排水口に接続する屈曲した第２通水路８と、第２通水路の屈曲部に連通する第２直進通路９と、弁体１０ａを形成する一端部が第２直進通路に挿通され直進往復動して第２通水路の屈曲部を開閉する第２弁１０とを備える。【選択図】図１
2015010722.tif 000002
【特許請求の範囲】
【請求項１】
上流側の水回り機器に接続する入口と下流側の水回り機器に接続する出口と排水管に接続する排水口とを、内蔵する弁機構によって選択的に接続して、下流側の水回り機器に通水する通水モードと、下流側の水回り機器内の水を排水する排水モードと、下流側の水回り機器を上流側の水回り機器と排水管とから切り離して下流側の水回り機器の保守を可能にする保守モードとを実現可能な排水栓であって、入口と出口とを接続する屈曲した第１通水路と、第１通水路の屈曲部に連通する第１直進通路と、弁体を形成する一端部が第１直進通路に挿通され直進往復動して第１通水路の屈曲部を開閉する第１弁と、第１通水路の屈曲部に一端が連通し他端が排水口に接続する屈曲した第２通水路と、第２通水路の屈曲部に連通する第２直進通路と、弁体を形成する一端部が第２直進通路に挿通され直進往復動して第２通水路の屈曲部を開閉する第２弁とを備えることを特徴とする排水栓。
【請求項２】
第１弁の他端部が第１直進通路の開放端部に螺合し、第２弁の他端部が第２直進通路の開放端部に螺合していることを特徴とする請求項１に記載の排水栓。
【請求項３】
第１弁、第２弁共に、３６０度未満の回動で開放位置と閉鎖位置との間で直進移動することを特徴とする請求項２に記載の排水栓。
【請求項４】
排水弁の作動モードを表示する表示機構を備えることを特徴とする請求項２又は３に記載の排水栓。
【請求項５】
第１直進通路周側壁と第１弁とに係合して第１弁を閉鎖位置に保持する第１保持具と、第１通水路周側壁又は第１直進通路周側壁と第１弁とに係合して第１弁を開放位置へ向けて付勢する第１バネと、第２直進通路周側壁と第２弁とに係合して第２弁を閉鎖位置に保持する第２保持具と、第２通水路周側壁又は第２直進通路周側壁と第２弁とに係合して第２弁を開放位置へ向けて付勢する第２バネとを備えることを特徴とする請求項１に記載の排水栓。
【請求項６】
第１弁の他端部と第２弁の他端部とが同一方向へ差し向けられていることを特徴とする請求項１乃至５の何れか１項に記載の排水栓。
【発明の詳細な説明】
【技術分野】
【０００１】
本発明は、給湯器の缶体等に使用される排水栓に関するものである。
【背景技術】
【０００２】
給湯器の缶体に使用されるボールバルブを使用した排水栓が特許文献１に開示されている。
特許文献１の排水栓においては、上流側の水回り機器に接続する入口と下流側の缶体に接続する出口と排水管に接続する排水口とを、Ｌ字状に屈曲した通水路が内部に形成されたボールバルブを用いて選択的に接続することにより、入口と出口とが連通し排水口が閉鎖した缶体に水を供給する通水モードと、出口と排水口とが連通し入り口が閉鎖した缶体内の水を排水する排水モードとを実現している。特許文献１の排水栓においては、缶体の保守を可能にするための入口と排水口とが閉鎖した保守モードも実現可能と考えられる。
【先行技術文献】
【特許文献】
【０００３】
【特許文献１】特開平８−１９９６３５号公報
【発明の概要】
【発明が解決しようとする課題】
【０００４】
特許文献１の排水栓には、一般的に長時間継続する通水モード時に、ボールバルブの排水口を閉鎖するシール面が長時間に亙って接水せず乾燥し、排水モードから通水モードに切り替わる際に前記シール面に付着した水が蒸発して水中に溶解した金属成分が炭酸カルシウムや二酸化珪素等の混合物であるスケールとなって析出し、前記シール面に付着して、ボール弁の作動不良を惹起するという問題がある。
本発明は上記問題に鑑みてなされたものであり、上流側の水回り機器に接続する入口と下流側の水回り機器に接続する出口と排水管に接続する排水口とを、内蔵する弁機構によって選択的に接続して、下流側の水回り機器に通水する通水モードと、下流側の水回り機器内の水を排水する排水モードと、下流側の水回り機器を上流側の水回り機器と排水管とから切り離して下流側の水回り機器の保守を可能にする保守モードとを実現可能な排水栓であって、スケール付着による作動不良を起こさない排水栓を提供することを目的とする。
【課題を解決するための手段】
【０００５】
上記課題を解決するために、本発明においては、上流側の水回り機器に接続する入口と下流側の水回り機器に接続する出口と排水管に接続する排水口とを、内蔵する弁機構によって選択的に接続して、下流側の水回り機器に通水する通水モードと、下流側の水回り機器内の水を排水する排水モードと、下流側の水回り機器を上流側の水回り機器と排水管とから切り離して下流側の水回り機器の保守を可能にする保守モードとを実現可能な排水栓であって、入口と出口とを接続する屈曲した第１通水路と、第１通水路の屈曲部に連通する第１直進通路と、弁体を形成する一端部が第１直進通路に挿通され直進往復動して第１通水路の屈曲部を開閉する第１弁と、第１通水路の屈曲部に一端が連通し他端が排水口に接続する屈曲した第２通水路と、第２通水路の屈曲部に連通する第２直進通路と、弁体を形成する一端部が第２直進通路に挿通され直進往復動して第２通水路の屈曲部を開閉する第２弁とを備えることを特徴とする排水栓を提供する。
本発明に係る排水栓においては、下流側の水回り機器に通水する通水モード時には、第１弁の弁体は第１通水路の屈曲部を開放し、第２弁の弁体は第２通水路の屈曲部を閉鎖する。この時、第１弁の弁体の第１通水路屈曲部を開閉するシール面は第１通水路を流れる水に接しており、第２弁の弁体の第２通水路屈曲部を閉鎖するシール面は第２通水路の前記シール面よりも第１通水路寄りの部位内の水に接しているので、第１弁、第２弁共に、弁体のシール面にはスケールは析出しない。本発明に係る排水栓においては、通水モード時に第２通水路屈曲部を閉鎖する弁体シール面にスケールが析出せず、弁体シール面へのスケール付着による作動不良を起こさない。
【０００６】
本発明の好ましい態様においては、第１弁の他端部が第１直進通路の開放端部に螺合し、第２弁の他端部が第２直進通路の開放端部に螺合している。
上記構成によれば、螺入量を増減させることにより、第１弁、第２弁を開放位置と閉鎖位置との間で直進往復動させることができる。
本発明の好ましい態様においては、第１弁、第２弁共に、３６０度未満の回動で開放位置と閉鎖位置との間で直進移動する。
３６０度未満の回動で弁体を開放位置と閉鎖位置との間で直進移動させることにより、排水栓の操作性が向上する。
本発明の好ましい態様においては、排水栓は、作動モードを表示する表示機構を備える。
排水栓が作動モードを表示する表示機構を備えることにより、排水栓の操作性が向上する。
本発明の好ましい態様においては、排水栓は、第１直進通路周側壁と第１弁とに係合して第１弁を閉鎖位置に保持する第１保持具と、第１通水路周側壁又は第１直進通路周側壁と第１弁とに係合して第１弁を開放位置へ向けて付勢する第１バネと、第２直進通路周側壁と第２弁とに係合して第２弁を閉鎖位置に保持する第２保持具と、第２通水路周側壁又は第２直進通路周側壁と第２弁とに係合して第２弁を開放位置へ向けて付勢する第２バネとを備える。
上記構成によれば、螺入量の増減以外の方法で、第１弁、第２弁を直進往復動させることが可能になる。
本発明の好ましい態様においては、第１弁の他端部と第２弁の他端部とが同一方向へ差し向けられている。
第１弁の他端部と第２弁の他端部とを同一方向へ差し向けることにより、第１弁と第２弁とを同一方向から操作することが可能になり、排水栓の操作性が向上する。
【図面の簡単な説明】
【０００７】
【図１】本発明の実施例に係る排水栓の通水モード時の構造図である。（ａ）は縦断面図であり、（ｂ）は（ａ）のｂ−ｂ矢視図であり、（ｃ）は（ａ）の部分拡大図であり、（ｄ）は表示板の正面図である。
【図２】本発明の実施例に係る排水栓の排水モード時の構造図である。（ａ）は縦断面図であり、（ｂ）は（ａ）のｂ−ｂ矢視図であり、（ｃ）は表示板の正面図である。
【図３】本発明の実施例に係る排水栓の保守モード時の構造図である。（ａ）は縦断面図であり、（ｂ）は（ａ）のｂ−ｂ矢視図であり、（ｃ）は表示板の正面図である。
【図４】本発明の他の実施例に係る排水栓の構造図である。（ａ）は通水モード時の縦断面図であり、（ｂ）は排水モード時の縦断面図であり、（ｃ）は保守モード時の縦断面図である。
【発明を実施するための形態】
【０００８】
本発明の実施例に係る排水栓を説明する。
図１（ａ）、（ｂ）に示すように、排水栓１は、入口２と出口３とを接続する屈曲した第１通水路４と、第１通水路４の屈曲部に連通する第１直進通路５と、弁体６ａを形成する一端部が第１直進通路５に挿通され他端部６ｂが第１直進通路５の開放端部に螺合し、直進往復動し弁体６ａが第１通水路４の屈曲部の入口２側端部に当接離隔して当該端部を開閉する第１弁６と、第１通水路４の屈曲部に一端が連通し他端が排水口７に接続する屈曲した第２通水路８と、第２通水路８の屈曲部に連通する第２直進通路９と、弁体１０ａを形成する一端部が第２直進通路９に挿通され長さ方向中央部１０ｂが第２直進通路９の開放端部に螺合し、直進往復動し弁体１０ａが第２通水路８の屈曲部の排水口７側端部に当接離隔して当該端部を開閉する第２弁１０とを備えている。
入口２は図示しない上流側の水回り機器に接続し、出口３は図示しない下流側の給湯器缶体等の水回り機器に接続し、排水口７は図示しない排水管に接続している。
排水栓１は、水回り機器の格納筐体の側壁である支持壁１００に固定されており、第１直進通路５の開放端と第２直進通路９の開放端とは、支持壁１００に当接している。
【０００９】
弁体６ａは円錐台形状の先端部と、傾斜した先端部周側面に形成された周溝に嵌合したＯ−リング６ａ’とを有している。弁体６ａの傾斜した先端部周側面が、第１通水路４の屈曲部の入口２側端部の傾斜した内周側面に当接離隔して、第１通水路４の屈曲部の入口２側端部を開閉する。Ｏ−リング６ａ’が弁体６ａと第１通水路４の屈曲部の入口２側端部との当接部をシールする。
弁６の長さ方向中央部に形成された複数条の周溝にＯ−リング６ｃが嵌合して、弁６長方向中央部と第１直進通路５との摺接部をシールしている。
【００１０】
弁体１０ａは円錐台形状の先端基部と、先端基部の小径端部から延びる円柱状先端部と、傾斜した先端基部周側面に形成された周溝に嵌合したＯ−リング１０ａ’と、円柱状先端部の周側面に形成された周溝に嵌合したＯ−リング１０ａ”とを有している。弁体１０ａの傾斜した先端基部周側面が、第２通水路８の屈曲部の排水口７側端部の傾斜した内周側面に当接離隔すると共に、円柱状先端部が第２通水路８の前記屈曲部直近下流の部位に進入退出して、第２通水路８の屈曲部の排水口７側端部を開閉する。
図１（ｃ）に示すように、第２通水路８の屈曲部の排水口７側端部の傾斜した内周側面αと第２通水路８の前記屈曲部直近下流の直進部内周面βとの交差部には、１Ｃカットの面取部γが形成されている。
弁１０の長さ方向中央部に形成された複数条の周溝にＯ−リング１０ｃが嵌合して、弁１０長方向中央部と第２直進通路９との摺接部をシールしている。
第１弁６の他端部６ｂと第２弁１０の他端部１０ｂとは同一方向へ差し向けられている。
【００１１】
第１弁６の他端部６ｂには、６角形断面の凹部６ｂ’が形成されている。凹部６ｂ’に、６角形断面の直角に屈曲した棒材で形成されたネジ回しＡが、支持壁１００に形成された穴１００ａを介して差し込まれ、固定されている。ネジ回Ａしを回動させることにより、第１弁６を回動して弁６を進退させる。
支持壁１００に形成された穴１００ｂを貫通して延在する第２弁１０の他端部１０ｄに摘みＢが取り付けられている。摘みＢを回動させることにより、第２弁１０を回動して進退させる。
第１弁６の他端部６ｂと第１直進通路５の開放端との間の螺合部は、３６０度未満の回動で第１弁６が第１通水路４の屈曲部を全開する開放位置と当該屈曲部を全閉する閉鎖位置との間で直進移動できるように構成されている。
第２弁１０の長さ方向中央部１０ｂと第２直進通路９の開放端との間の螺合部は、３６０度未満の回動で第２弁１０が第２通水路８の屈曲部を略全開する開放位置と当該屈曲部を全閉する閉鎖位置との間で直進移動できるように構成されている。
図１（ｄ）に示すように、弁６の他端部６ｂ、弁１０の他端部１０ｄに近接して、排水栓１の作動モードを表示する表示板１１が、支持壁１００に固定されている。表示板１１には、排水栓１の作動モードを表示する文字が記載されている。
【００１２】
排水栓１の作動を説明する。
下流側の水回り機器に通水する通水モード時には、図１に示すように、第１弁６は、弁体６ａが第１通水路４の屈曲部の入口２側端部から離隔し、第１通水路４の屈曲部を全開した開放位置に在り、第２弁１０は、弁体１０ａが第２通水路８の屈曲部の排水口７側端部に当接進入し、第２通水路８の屈曲部を全閉した閉鎖位置に在る。通水モード時には、入口２と出口３とが第１通水路４を介して連通し、図示しない上流側の水回り機器から排水栓１を通って図示しない下流側の水回り機器に給水される。
支持壁１００の穴１００ａ周縁近傍部が第１弁６の他端部６ｂの径方向張出部に当接して、第１弁６の抜け落ちを防止している。
通水モード時には、ネジ回しＡの握り部Ａ’は「通常＆排水」の文字に差し向けられと、摘みＢの突起部Ｂ’は「通常＆保守」の文字に差し向けられている。
通水モード時には、第１弁６の弁体６ａの第１通水路４屈曲部を開閉するシール面、すなわち弁体６ａの傾斜した側周面は第１通水路４を流れる水に接しており、第２弁１０の弁体１０ａの第２通水路８屈曲部を閉鎖するシール面、すなわち先端基部の傾斜した周側面は第２通水路８の前記シール面よりも第１通水路４寄りの部位内の水に接しているので、第１弁６、第２弁１０共に、弁体６ａ、１０ａのシール面にはスケールは析出しない。排水栓１においては、通水モード時に第２通水路８屈曲部を閉鎖する弁体１０ａのシール面にスケールが析出せず、弁体１０ａシール面へのスケール付着による作動不良を起こさない。
一般的に長時間継続する通水モード時に第２通水路８の屈曲部を閉鎖する第２弁１０の弁体１０ａは、安全性向上のために、円錐台形状の先端基部と、円柱状の先端部とによる二重シール構造となっている。円柱状先端部の周側面が形成するシール面は、通水モード時には接水せず、排水モード時に付着した水が乾燥してスケールが析出する可能性があるが、円柱状先端部の周側面が形成するシール面は補助シール面であり、仮に補助シール面にスケールが析出して補助シール面が作動不良を起こしたとしても、先端基部の傾斜周側面が形成する主シール面にはスケールは析出せず、主シール面は正常作動するので問題ない。先端基部の傾斜周側面が形成する主シール面は、第２通水路８の屈曲部の傾斜した内周側面に押し当てられるので、シール性が高い。
【００１３】
下流側の水回り機器内の水を排水する排水モード時には、図２に示すように、第１弁６の弁体６ａは第１通水路４の屈曲部の入口２側端部から離隔し、第１通水路４の屈曲部を全開した開放位置に在り、第２弁の弁体１０ａは第２通水路８の屈曲部の排水口７側端部から離隔し、第２通水路８の屈曲部を略全開した開放位置に在る。入口２に接続した図示しない上流側の水回り機器の途上に配設された止水弁が閉鎖されている。排水モード時には、出口３と排水口７とが第１通水路４と第２通水路８とを介して連通し、図示しない下流側の水回り機器内の水が排水栓を介して図示しない排水管へ排出される。
支持壁１００の穴１００ｂ周縁近傍部が第２弁１０の長さ方向中央部１０ｂの径方向張出部に当接して、第２弁１０の抜け落ちを防止している。
弁体６ａ、１０ａのシール面は第１通水路４と第２通水路８とを流れる水に接している。
排水モード時には、ネジ回しＡの握り部Ａ’は「通常＆排水」の文字に差し向けられており、摘みＢの突起部Ｂ’は、「排水」の文字に差し向けられている。
通水モードから排水モードへの切り換えは、図１、２から分かるように、摘みＢを時計回りに２７０度回動させ、「通常＆保守」の文字に差し向けられた突起Ｂ’を「排水」の文字に差し向けることにより行う。第２弁１０の第２直進通路９への螺入量が減少して第２弁１０が後退し、弁体１０ａが第２通水路８の屈曲部を開放する。ネジ回しＡは操作しない。
排水モードから通水モードに戻す際には、摘みＢを反時計回りに回動させ第２弁１０を前進させて、弁体１０ａを第２通水路８の屈曲部の排水口７側端部に進入当接させる。第２通水路８の屈曲部の排水口７側端部の傾斜した内周側面αと第２通水路８の前記屈曲部直近下流の直進部内周面βとの交差部に、１Ｃカットの面取部γが形成されているので、摘みＢに過大な回転力を与えなくても、１０ａの柱状先端部に配設されたＯ−リング１０ａ”は、第２通水路８の屈曲部直近下流の直進部に進入することができる。
【００１４】
下流側の水回り機器を保守する保守モード時には、図３に示すように、第１弁６は、弁体６ａが第１通水路４の屈曲部の入口２側端部に当接し、第１通水路４の屈曲部を全閉した閉鎖位置に在り、第２弁１０は、弁体１０ａが第２通水路８の屈曲部の排水口７側端部に当接し、第２通水路８の屈曲部を全閉した閉鎖位置に在る。保守モード時には、図示しない下流側の水回り機器は上流側の水回り機器と排水管とから切り離されて、保守可能な状態になる。
弁体６ａのシール面と、弁体１０ａの主シール面とは、第２通水路８の弁体６ａと弁体１０ａとの間で延在する略密閉されて湿潤状態にある部位に接しており、継続時間が短い保守モード中にスケールが析出する事態は発生しない。
保守モード時には、ネジ回しＡの握り部Ａ’は「保守」の文字に差し向けられてと、摘みＢの突起部Ｂ’は、「通常＆保守」の文字に差し向けられている。
排水モードから保守モードへの切り換えは、図２、３から分かるように、ネジ回しＡを時計回りに２７０度回動させ、「通常＆排水」の文字に差し向けられた握り部Ａ’を「保守」の文字に差し向け、摘みＢを反時計回りに２７０度回動させ、「排水」の文字に差し向けられた突起Ｂ’を「通常＆保守」の文字に差し向けることにより行う。第１弁６の第１直進通路５への螺入量が増加して第１弁６が前進し、弁体６ａが第１通水路４の屈曲部を閉鎖する。第２弁１０の第２直進通路９への螺入量が増加して第２弁１０が前進し、弁体１０ａが第２通水路８の屈曲部を閉鎖する。
【００１５】
排水栓１においては、第１弁６の他端部６ｂと第２弁１０の他端部１０ｂとを同一方向へ差し向けたので、第１弁６と第２弁１０とを同一方向から操作することが可能になり、操作性が良い。
排水栓１においては、第１弁６、第２弁１０共に、３６０度未満の回動で開放位置と閉鎖位置との間で直進移動するので、操作性が良い。
排水栓１においては、作動モードを表示する表示機構を備えるので、操作性が良い。
【００１６】
上記実施例において、図１（ｂ）の右方向から第１直進通路５を第１通水路４の屈曲部に突き当てて当該屈曲部に連通させ、前記屈曲部の出口３側端部を弁体６ａが開閉するように構成しても良い。図１の参照番号２を出口とし、参照番号３を入口としても良い。図１（ａ）の左方向から第２直進通路９を第２通水路８の屈曲部に突き当てて当該屈曲部に連通させ、前記屈曲部の第１通水路４に近接する上流側端部を弁体１０ａが開閉するように構成しても良い。
上記実施例ではシール部材としてＯ−リング６ａ'、１０ａ'、１０ａ"を使用したが、弁体６ａ、１０ａに冠着したゴム製キャップをシール部材として使用しても良く、あるいは弁体６ａ、１０ａを第１通水路４の屈曲部の入口２側端部、第２通水路８の屈曲部の排水口７側端部にメタルタッチさせ、当該メタルタッチ部をシール部材として使用しても良い。
１Ｃカットの面取部γを、２Ｃカット以上の面取部としても良く、あるいは曲面の面取部としても良い。
図１（ａ）、（ｂ）に一点鎖線で示すように、出口３以外の出口に接続し弁体６ａによって開閉される通水路４'、４"を設けて、排水栓１に接続できる下流側の水回り機器の数を増やしても良い。
【００１７】
上記実施例では第１弁６、第２弁１０を、第１直進通路５、第２直進通路９に螺合させ、螺入量を手動で増減させることにより、第１弁６、第２弁１０を直進往復動させたが、図４に示すように、螺入量の増減以外の方法で、第１弁６、第２弁１０を直進往復動させても良い。
図４に示す他の実施例においては、第１直進通路５周側壁と第１弁６とに係合して第１弁６を第１通水路４の屈曲部を全閉した閉鎖位置に保持する第１Ｕ−ピン１２と、第１通水路４周側壁と第１弁６とに係合して第１弁６を第１通水路４の屈曲部を全開した開放位置へ向けて付勢する第１バネ１３と、第２直進通路９周側壁と第２弁１０とに係合して第２弁１０を第２通水路８の屈曲部を全閉した閉鎖位置に保持する第２Ｕ−ピン１４と、第２通水路８周側壁と第２弁１０とに係合して第２弁１０を第２通水路８の屈曲部を略全開した開放位置へ向けて付勢する第２バネ１５とを配設している。
図４（ａ）の通水モード時には、第１Ｕ−ピン１２は第１直進通路５から引き抜かれており、第１バネ１３が伸びて第１弁６は開放位置に在る。第２Ｕ−ピン１４は第２直進通路９に挿通されており、第１バネ１５は縮んで第２弁１０は閉鎖位置に在る。
図４（ｂ）の排水モード時には、第１Ｕ−ピン１２は第１直進通路５から引き抜かれており、第１バネ１３が伸びて第１弁６は開放位置に在る。第２Ｕ−ピン１４も第２直進通路９から引き抜かれており、第２バネ１５が伸びて第２弁１０は開放位置に在る。通水モードから排水モードへの切り換えは、第２Ｕ−ピン１４を第２直進通路９から引き抜き、第２バネ１５の付勢力で第２弁１０を開放位置まで後退させることによって行う。
図４（ｃ）の保守モード時には、第１Ｕ−ピン１２は第１直進通路５に挿通されており、第１バネ１３が縮んで第１弁６は閉鎖位置に在る。第２Ｕ−ピン１４も第２直進通路９に挿通されており、第２バネ１５が縮んで第２弁１０は閉鎖位置に在る。排水モードから排水モードへの切り換えは、ネジ回しＡを回転させることなく押し込んで、第１弁６を開放位置から閉鎖位置まで前進させ、第１Ｕ−ピン１２を第１直進通路５に挿通して第１弁６を閉鎖位置に保持し、摘みＢを回転させることなく押し込んで、第２弁１０を開放位置から閉鎖位置まで前進させ、第２Ｕ−ピン１４を第２直進通路９に挿通して第２弁１０を閉鎖位置に保持することにより行う。
第１バネ１３を第１直進通路５周側壁と第１弁６とに係合させても良く、第２バネ１５を第２直進通路９周側壁と第２弁１０とに係合させても良い。
【産業上の利用可能性】
【００１８】
本発明は、給湯器の缶体等に使用される排水栓に広く利用可能である。
【符号の説明】
【００１９】
１  排水栓
２  入口
３  出口
４  第１通水路
５  第１直進通路
６  第１弁
６ａ  弁体
７  排水口
８  第２通水路
９  第２直進通路
１０  第２弁
１０ａ  弁体
１１  表示板
１２  第１Ｕ−ピン
１３  第１バネ
１４  第２Ｕ−ピン
１５  第２バネ
１００  支持壁
１００ａ、１００ｂ  穴
Ａ  ネジ回し
Ｂ  摘み
【図１】
2015010722.tif 000003
【図２】
2015010722.tif 000004
【図３】
2015010722.tif 000005
【図４】
2015010722.tif 000006